(57)【特許請求の範囲】
【請求項１】
ＯＦＤＭ信号を受信するＯＦＤＭ受信装置において、当該装置が：ＯＦＤＭの各搬送波の復調データを等化するための各搬送波ごとの参照データの振幅と、予め与えられた第１および第２の閾値とを比較する手段と；ある搬送波の参照データの振幅が前記予め与えられた第１の閾値より小さいときに、その参照データによって等化されるまたは等化された前記搬送波の復調データをヌルとする手段と；ある搬送波の参照データの振幅が前記第１の閾値より大きな前記予め与えられた第２の閾値より大きいときに、その参照データによって等化されるまたは等化された前記搬送波の復調データをヌルとする手段と；を具えたことを特徴とするＯＦＤＭ受信装置。
【請求項２】
ＯＦＤＭ信号を受信するＯＦＤＭ受信装置において、当該装置が：ＯＦＤＭの各搬送波の復調データを等化するための各搬送波ごとの参照データの振幅と、すべての搬送波データの振幅の平均値あるいは実効値と予め与えられた関係で関係づけられた第１および第２の閾値とを比較する手段と；ある搬送波の参照データの振幅が前記予め与えられた関係の第１の閾値より小さいときに、その参照データによって等化されるまたは等化された前記搬送波の復調データをヌルとする手段と；ある搬送波の参照データの振幅が前記第１の閾値より大きな前記予め与えられた関係の第２の閾値より大きいときに、その参照データによって等化されるまたは等化された前記搬送波の復調データをヌルとする手段と；を具えたことを特徴とするＯＦＤＭ受信装置。
【請求項３】
各搬送波の変調が差動位相変調されたＯＦＤＭ信号を受信するＯＦＤＭ受信装置において、当該装置が：ＯＦＤＭの各搬送波のデータを復調するための前シンボルの離散フーリエ変換出力の振幅と、予め与えられた第１および第２の閾値とを比較する手段と；ある搬送波の前シンボルの振幅が前記予め与えられた第１の閾値より小さいときに、前記搬送波の現シンボルの復調データをヌルとする手段と；ある搬送波の前シンボルの振幅が前記第１の閾値より大きな前記予め与えられた第２の閾値より大きいときに、前記搬送波の現シンボルの復調データをヌルとする手段と；を具えたことを特徴とするＯＦＤＭ受信装置。
【請求項４】
各搬送波の変調が差動位相変調されたＯＦＤＭ信号を受信するＯＦＤＭ受信装置において、当該装置が：ＯＦＤＭの各搬送波のデータを復調するための前シンボルの離散フーリエ変換出力の振幅および現シンボルの離散フーリエ変換出力の振幅の積と、予め与えられた第１および第２の閾値とを比較する手段と；ある搬送波の前シンボルの離散フーリエ変換出力の振幅および現シンボルの離散フーリエ変換出力の振幅の積が前記予め与えられた第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた第２の閾値より大きいときに、前記搬送波の現シンボルの復調データをヌルとする手段と；を具えたことを特徴とするＯＦＤＭ受信装置。
【請求項５】
各搬送波の変調が差動位相変調されたＯＦＤＭ信号を受信するＯＦＤＭ受信装置において、当該装置が：ＯＦＤＭの各搬送波のデータを復調するための前シンボルの離散フーリエ変換出力の振幅と、すべての搬送波データの振幅の平均値あるいは実効値と予め与えられた関係で関係づけられた第１および第２の閾値とを比較する手段と；ある搬送波の前シンボルの離散フーリエ変換出力の振幅が前記予め与えられた関係の第１の閾値より小さいときに、前記搬送波の現シンボルの復調データをヌルとする手段と；ある搬送波の前シンボルの離散フーリエ変換出力の振幅が前記第１の閾値より大きな前記予め与えられた関係の第２の閾値より大きいときに、前記搬送波の現シンボルの復調データをヌルとする手段と；を具えたことを特徴とするＯＦＤＭ受信装置。
【請求項６】
各搬送波の変調が差動位相変調されたＯＦＤＭ信号を受信するＯＦＤＭ受信装置において、当該装置が：ＯＦＤＭの各搬送波のデータを復調するための前シンボルの離散フーリエ変換出力の振幅および現シンボルの離散フーリエ変換出力の振幅の積と、すべての搬送波データの振幅の平均値あるいは実効値と予め与えられた関係で関係づけられた第１および第２の閾値とを比較する手段と；ある搬送波の前シンボルの離散フーリエ変換出力の振幅および現シンボルの離散フーリエ変換出力の振幅の積が、前記予め与えられた関係の第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた関係の第２の閾値より大きいときに、当該搬送波の現シンボルの復調データをヌルとする手段と；を具えたことを特徴とするＯＦＤＭ受信装置。
【請求項７】
各搬送波の変調が差動位相変調されたＯＦＤＭ信号を受信するＯＦＤＭ受信装置において、当該装置が：ＯＦＤＭの各搬送波の現シンボルの離散フーリエ変換出力の振幅と、予め与えられた第１および第２の閾値とを比較する手段と；ある搬送波の現シンボルの離散フーリエ変換出力の振幅が前記予め与えられた第１の閾値より小さいときに、前記搬送波の現シンボルの復調データをヌルとする手段と；ある搬送波の現シンボルの離散フーリエ変換出力の振幅が前記第１の閾値より大きな前記予め与えられた第２の閾値より大きいときに、前記搬送波の現シンボルの復調データをヌルとする手段と；を具えたことを特徴とするＯＦＤＭ受信装置。
【請求項８】
各搬送波の変調が差動位相変調されＯＦＤＭ信号を受信するＯＦＤＭ受信装置において、当該装置が：ＯＦＤＭの各搬送波の現シンボルの離散フーリエ変換出力の振幅と、すべての搬送波データの振幅の平均値あるいは実効値と予め与えられた関係で関係づけられた第１および第２の閾値とを比較する手段と；ある搬送波の現シンボルの離散フーリエ変換出力の振幅が前記予め与えられた関係の第１の閾値より小さいときに、当該搬送波の現シンボルの復調データをヌルとする手段と；ある搬送波の現シンボルの離散フーリエ変換出力の振幅が前記第１の閾値より大きな前記予め与えられた関係の第２の閾値より大きいときに、当該搬送波の現シンボルの復調データをヌルとする手段と；を具えたことを特徴とするＯＦＤＭ受信装置。
【請求項９】
各搬送波の変調が差動振幅変調されたＯＦＤＭ信号を受信するＯＦＤＭ受信装置において、当該装置が：ＯＦＤＭの各搬送波のデータを復調するための前シンボルの離散フーリエ変換出力の振幅と、予め与えられた第１および第２の閾値とを比較する手段と；ある搬送波の前シンボルの振幅が前記予め与えられた第１の閾値より小さいときに、前記搬送波の現シンボルの復調データをヌルとする手段と；ある搬送波の前シンボルの振幅が前記第１の閾値より大きな前記予め与えられた第２の閾値より大きいときに、前記搬送波の現シンボルの復調データをヌルとする手段と；を具えたことを特徴とするＯＦＤＭ受信装置。
【請求項１０】
各搬送波の変調が差動振幅変調されたＯＦＤＭ信号を受信するＯＦＤＭ受信装置において、当該装置が：ＯＦＤＭの各搬送波のデータを復調するための前シンボルの離散フーリエ変換出力の振幅および現シンボルの離散フーリエ変換出力の振幅の積と、予め与えられた第１および第２の閾値とを比較する手段と；ある搬送波の前シンボルの離散フーリエ変換出力の振幅および現シンボルの離散フーリエ変換出力の振幅の積が前記予め与えられた第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた第２の閾値より大きいときに、前記搬送波の現シンボルの復調データをヌルとする手段とを具えたことを特徴とするＯＦＤＭ受信装置。
【請求項１１】
各搬送波の変調が差動振幅変調されたＯＦＤＭ信号を受信するＯＦＤＭ受信装置において、当該装置が：ＯＦＤＭの各搬送波のデータを復調するための前シンボルの離散フーリエ変換出力の振幅と、すべての搬送波データの振幅の平均値あるいは実効値と予め与えられた関係で関係づけられた第１および第２の閾値とを比較する手段と；ある搬送波の前シンボルの離散フーリエ変換出力の振幅が前記予め与えられた関係の第１の閾値より小さいときに、前記搬送波の現シンボルの復調データをヌルとする手段と；ある搬送波の前シンボルの離散フーリエ変換出力の振幅が前記第１の閾値より大きな前記予め与えられた関係の第２の閾値より大きいときに、前記搬送波の現シンボルの復調データをヌルとする手段とを具えたことを特徴とするＯＦＤＭ受信装置。
【請求項１２】
各搬送波の変調が差動振幅変調されたＯＦＤＭ信号を受信するＯＦＤＭ受信装置において、当該装置が：ＯＦＤＭの各搬送波のデータを復調するための前シンボルの離散フーリエ変換出力の振幅および現シンボルの離散フーリエ変換出力の振幅の積と、すべての搬送波データの振幅の平均値あるいは実効値と予め与えられた関係で関係づけられた第１および第２の閾値とを比較する手段と；ある搬送波の前シンボルの離散フーリエ変換出力の振幅および現シンボルの離散フーリエ変換出力の振幅の積が、前記予め与えられた関係の第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた関係の第２の閾値より大きいときに、当該搬送波の現シンボルの復調データをヌルとする手段とを具えたことを特徴とするＯＦＤＭ受信装置。
【請求項１３】
各搬送波の変調が差動振幅変調されたＯＦＤＭ信号を受信するＯＦＤＭ受信装置において、当該装置が：ＯＦＤＭの各搬送波の現シンボルの離散フーリエ変換出力の振幅と、予め与えられた第１および第２の閾値とを比較する手段と；ある搬送波の現シンボルの離散フーリエ変換出力の振幅が前記予め与えられた第１の閾値より小さいときに、前記搬送波の現シンボルの復調データをヌルとする手段と；ある搬送波の現シンボルの離散フーリエ変換出力の振幅が前記第１の閾値より大きな前記予め与えられた第２の閾値より大きいときに、前記搬送波の現シンボルの復調データをヌルとする手段とする手段とを具えたことを特徴とするＯＦＤＭ受信装置。
【請求項１４】
各搬送波の変調が差動振幅変調されたＯＦＤＭ信号を受信するＯＦＤＭ受信装置において、当該装置が：ＯＦＤＭの各搬送波の現シンボルの離散フーリエ変換出力の振幅と、すべての搬送波データの振幅の平均値あるいは実効値と予め与えられた関係で関係づけられた第１および第２の閾値とを比較する手段と；ある搬送波の現シンボルの離散フーリエ変換出力の振幅が前記予め与えられた関係の第１の閾値より小さいときに、当該搬送波の現シンボルの復調データをヌルとする手段と；ある搬送波の現シンボルの離散フーリエ変換出力の振幅が前記第１の閾値より大きな前記予め与えられた関係の第２の閾値より大きいときに、当該搬送波の現シンボルの復調データをヌルとする手段とを具えたことを特徴とするＯＦＤＭ受信装置。
【発明の詳細な説明】
【０００１】
【発明の属する技術分野】
この発明は、ＯＦＤＭ受信装置、特に大きな誤り訂正効果を得るＯＦＤＭ受信装置に関するものである。
【０００２】
【従来の技術】
ＯＦＤＭ(Orthogonal Frequency Division Multiplexing ：直交周波数分割多重) 信号受信において、従来は、各搬送波ごとの離散フーリエ変換出力データが各搬送波ごとに参照データにより等化され（図１）、あるいは、差動復調されて（図２）おのおの位相空間上の各信号点からのユークリッド距離に関係づけられた軟判定データが算出され、すべての搬送波の軟判定データがパラレル／シリアル変換して出力され、ビタビ復号器などに入力され軟判定復号されていた。その際、おのおのの搬送波からの軟判定データ（図１）は、参照データの振幅の大きさに関わらずそのまま出力されていた。同様に、差動変調ＯＦＤＭ受信においても（図２）、おのおのの搬送波から得られる１シンボル前のデータの振幅の大きさ、あるいは現在のシンボルの大きさに関わらず、算出された軟判定データはそのまま出力されていた。
【０００３】
図１に従来のＯＦＤＭ受信装置の例を、図２に従来の差動復調ＯＦＤＭ受信装置の例を示す。図１，２の参照番号１１と２１，１２，１３，１４と２４，１５と２５，２２および２３のブロックはそれぞれ離散フーリエ変換部、参照シンボル抽出（推定）部、復調データ等化部、信号点からのユークリッド距離算出部、Ｐ／Ｓ変換部、１シンボル遅延部および現シンボルデータの差動復調部をそれぞれ示し、併列処理するための破線ブロックはそれぞれ搬送波＃１，＃２，--- ，＃ｋ，--- ＃ｎに関するものに対応する。
【０００４】
【発明が解決しようとする課題】
マルチパス伝送路のように信号帯域内に周波数特性をもつ伝送路を通過したＯＦＤＭ信号は、搬送波ごとの振幅特性が異なる。このため、各搬送波ごとに得られる参照データは、搬送波間で振幅偏差が生ずる。このような場合のＯＦＤＭ受信機の離散フーリエ変換出力例を図３に示す。図３の横軸は搬送波番号、縦軸は振幅値（相対値）である。他の搬送波に比べて振幅特性の小さい搬送波では、参照データのＣＮ比が小さいため、その参照データにより等化された当該搬送波の受信データは、送信信号点からのユーリッド距離が大きくなる（復調誤差の大きさが大きくなる）ため信頼性が小さい。このような、受信データを含む軟判定系列の復号については、ビタビ復号などで軟判定復号をおこなっても、効果的な軟判定復号効果は得られにくいのが欠点であった。また、差動復調ＯＦＤＭにおいても、他の搬送波に比べて振幅特性の小さい搬送波では、当該搬送波の前シンボルデータによって復調された当該搬送波の受信データは、信頼性が小さく同様の欠点があった。また、ＦＭ信号、ＣＷ信号、テレビジョン信号などの狭帯域信号からの干渉を受けた場合、ＯＦＤＭ受信機の離散フーリエ変換出力は、特定の搬送波の振幅は大きくなるが、その受信データは信頼性が小さい。このような受信データを含む軟判定系列の復号についても、ビタビ復号などで、軟判定復号をおこなっても、効果的な軟判定復号効果は得られにくいのが欠点であった。
【０００５】
そこで、本発明の目的は、図３のＯＦＤＭ受信機の離散フーリエ変換出力例に示すように、各搬送波ごとに得られる参照データ、あるいは差動復調のための前シンボルのデータの振幅が、ある与えられた閾値よりも小さい搬送波については、当該搬送波のデータを消失とみなし、ヌルデータを挿入して軟判定系列を出力し、その軟判定系列をビタビ復号などで軟判定復号をおこなったり、別に与えられた閾値よりも大きい搬送波については、当該搬送波のデータを消失とみなし、ヌルデータを挿入し軟判定系列を出力することの可能なＯＦＤＭ受信装置を提供せんとするものである。
【０００６】
【課題を解決するための手段】
上記目的を達成するためのＯＦＤＭ信号を受信するＯＦＤＭ受信装置にかかる第１の発明は、当該装置が：ＯＦＤＭの各搬送波の復調データを等化するための各搬送波ごとの参照データの振幅と、予め与えられた第１および第２の閾値とを比較する手段と；ある搬送波の参照データの振幅が前記予め与えられた第１の閾値より小さいときに、その参照データによって等化されるまたは等化された前記搬送波の復調データをヌルとする手段と；ある搬送波の参照データの振幅が前記第１の閾値より大きな前記予め与えられた第２の閾値より大きいときに、その参照データによって等化されるまたは等化された前記搬送波の復調データをヌルとする手段とを具えたことを特徴とするものである。
【０００７】
また、第２の発明は、当該装置が：ＯＦＤＭの各搬送波の復調データを等化するための各搬送波ごとの参照データの振幅と、すべての搬送波データの振幅の平均値あるいは実効値と予め与えられた関係で関係づけられた第１および第２の閾値とを比較する手段と；ある搬送波の参照データの振幅が前記予め与えられた関係の第１の閾値より小さいときに、その参照データによって等化されるまたは等化された前記搬送波の復調データをヌルとする手段と；ある搬送波の参照データの振幅が前記第１の閾値より大きな前記予め与えられた関係の第２の閾値より大きいときに、その参照データによって等化されるまたは等化された前記搬送波の復調データをヌルとする手段とを具えたことを特徴とするものである。
【０００８】
さらに、前記目的を達成するための各搬送波の変調が差動位相変調されたＯＦＤＭ信号を受信するＯＦＤＭ受信装置にかかる第１の発明は、当該装置が：ＯＦＤＭの各搬送波のデータを復調するための前シンボルの離散フーリエ変換出力の振幅と、予め与えられた第１および第２の閾値とを比較する手段と；ある搬送波の前シンボルの振幅が前記予め与えられた第１の閾値より小さいときに、前記搬送波の現シンボルの復調データをヌルとする手段と；ある搬送波の前シンボルの振幅が前記第１閾値より大きな前記予め与えられた第２の閾値より大きいときに、前記搬送波の現シンボルの復調データをヌルとする手段とを具えたことを特徴とする。
【０００９】
また、同第２の発明は、当該装置が：ＯＦＤＭの各搬送波のデータを復調するための前シンボルの離散フーリエ変換出力の振幅および現シンボルの離散フーリエ変換出力の振幅の積と、予め与えられた第１および第２の閾値とを比較する手段と；ある搬送波の前シンボルの離散フーリエ変換出力の振幅および現シンボルの離散フーリエ変換出力の振幅の積が前記予め与えられた第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた第２の閾値より大きいときに、前記搬送波の現シンボルの復調データをヌルとする手段とを具えたことを特徴とするものである。
【００１０】
また、同第３の発明は、当該装置が：ＯＦＤＭの各搬送波のデータを復調するための前シンボルの離散フーリエ変換出力の振幅と、すべての搬送波データの振幅の平均値あるいは実効値と予め与えられた関係で関係づけられた第１および第２の閾値とを比較する手段と；ある搬送波の前シンボルの離散フーリエ変換出力の振幅が前記予め与えられた関係の第１の閾値より小さいときに、前記搬送波の現シンボルの復調データをヌルとする手段と；ある搬送波の前シンボルの離散フーリエ変換出力の振幅が前記第１の閾値より大きな前記予め与えられた関係の第２の閾値より大きいときに、前記搬送波の現シンボルの復調データをヌルとする手段とを具えたことを特徴とするものである。
【００１１】
また、同第４の発明は、当該装置が：ＯＦＤＭの各搬送波のデータを復調するための前シンボルの離散フーリエ変換出力の振幅および現シンボルの離散フーリエ変換出力の振幅の積と、すべての搬送波データの振幅の平均値あるいは実効値と予め与えられた関係で関係づけられた第１および第２の閾値とを比較する手段と；ある搬送波の前シンボルの離散フーリエ変換出力の振幅および現シンボルの離散フーリエ変換出力の振幅の積が、前記予め与えられた関係の第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた関係の第２の閾値より大きいときに、当該搬送波の現シンボルの復調データをヌルとする手段とを具えたことを特徴とするものである。
【００１２】
また、同第５の発明は、当該装置が：ＯＦＤＭの各搬送波の現シンボルの離散フーリエ変換出力の振幅と、予め与えられた第１および第２の閾値とを比較する手段と；ある搬送波の現シンボルの離散フーリエ変換出力の振幅が前記予め与えられた第１の閾値より小さいときに、前記搬送波の現シンボルの復調データをヌルとする手段と；ある搬送波の現シンボルの離散フーリエ変換出力の振幅が前記第１の閾値より大きな前記予め与えられた第２の閾値より大きいときに、前記搬送波の現シンボルの復調データをヌルとする手段とを具えたことを特徴とするものである。
【００１３】
また、同第６の発明は、当該装置が：ＯＦＤＭの各搬送波の現シンボルの離散フーリエ変換出力の振幅と、すべての搬送波データの振幅の平均値あるいは実効値と予め与えられた関係で関係づけられた第１および第２の閾値とを比較する手段と；ある搬送波の現シンボルの離散フーリエ変換出力の振幅が前記予め与えられた関係の第１の閾値より小さいときに、当該搬送波の現シンボルの復調データをヌルとする手段と；ある搬送波の現シンボルの離散フーリエ変換出力の振幅が前記第１の閾値より大きな前記予め与えられた関係の第２の閾値より大きいときに、当該搬送波の現シンボルの復調データをヌルとする手段とを具えたことを特徴とするものである。
【００１４】
さらにまた前記目的を達成するための各搬送波の変調が差動振幅変調されたＯＦＤＭ信号を受信するＯＦＤＭ受信装置にかかる第１の発明は、当該装置が：ＯＦＤＭの各搬送波のデータを復調するための前シンボルの離散フーリエ変換出力の振幅と、予め与えられた第１および第２の閾値とを比較する手段と；ある搬送波の前シンボルの振幅が前記予め与えられた第１の閾値より小さいときに、前記搬送波の現シンボルの復調データをヌルとする手段と；ある搬送波の前シンボルの振幅が前記第１の閾値より大きな前記予め与えられた第２の閾値より大きいときに、前記搬送波の現シンボルの復調データをヌルとする手段とを具えたことを特徴とするものである。
【００１５】
また、同第２の発明は、当該装置が：ＯＦＤＭの各搬送波のデータを復調するための前シンボルの離散フーリエ変換出力の振幅および現シンボルの離散フーリエ変換出力の振幅の積と、予め与えられた第１および第２の閾値とを比較する手段と；ある搬送波の前シンボルの離散フーリエ変換出力の振幅および現シンボルの離散フーリエ変換出力の振幅の積が前記予め与えられた第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた第２の閾値より大きいときに、前記搬送波の現シンボルの復調データをヌルとする手段とを具えたことを特徴とするものである。
【００１６】
また、同第３の発明は、当該装置が：ＯＦＤＭの各搬送波のデータを復調するための前シンボルの離散フーリエ変換出力の振幅と、すべての搬送波データの振幅の平均値あるいは実効値と予め与えられた関係で関係づけられた第１および第２の閾値とを比較する手段と；ある搬送波の前シンボルの離散フーリエ変換出力の振幅が前記予め与えられた関係の第１の閾値より小さいときに、前記搬送波の現シンボルの復調データをヌルとする手段と；ある搬送波の前シンボルの離散フーリエ変換出力の振幅が前記第１の閾値より大きな前記予め与えられた関係の第２の閾値より大きいときに、前記搬送波の現シンボルの復調データをヌルとする手段とを具えたことを特徴とするものである。
【００１７】
また、同第４の発明は、当該装置が：ＯＦＤＭの各搬送波のデータを復調するための前シンボルの離散フーリエ変換出力の振幅および現シンボルの離散フーリエ変換出力の振幅の積と、すべての搬送波データの振幅の平均値あるいは実効値と予め与えられた関係で関係づけられた第１および第２の閾値とを比較する手段と；ある搬送波の前シンボルの離散フーリエ変換出力の振幅および現シンボルの離散フーリエ変換出力の振幅の積が、前記予め与えられた関係の第１の閾値より小さいときに、前記搬送波の現シンボルの復調データをヌルとする手段と；ある搬送波の前シンボルの離散フーリエ変換出力の振幅および現シンボルの離散フーリエ変換出力の振幅の積が前記第１の閾値より大きな前記予め与えられた関係の第２の閾値より大きいときに、当該搬送波の現シンボルの復調データをヌルとする手段とを具えたことを特徴とするものである。
【００１８】
また、同第５の発明は、当該装置が：ＯＦＤＭの各搬送波の現シンボルの離散フーリエ変換出力の振幅と、予め与えられた第１および第２の閾値とを比較する手段と；ある搬送波の現シンボルの離散フーリエ変換出力の振幅が前記予め与えられた第１の閾値より小さいときに、前記搬送波の現シンボルの復調データをヌルとする手段と；ある搬送波の現シンボルの離散フーリエ変換出力の振幅が前記第１の閾値より大きな前記予め与えられた第２の閾値より大きいときに、前記搬送波の現シンボルの復調データをヌルとする手段とを具えたことを特徴とするものである。
【００１９】
またさらに、同第６の発明は、当該装置が：ＯＦＤＭの各搬送波の現シンボルの離散フーリエ変換出力の振幅と、すべての搬送波データの振幅の平均値あるいは実効値と予め与えられた関係で関係づけられた第１および第２の閾値とを比較する手段と；ある搬送波の現シンボルの離散フーリエ変換出力の振幅が前記予め与えられた関係の第１の閾値より小さいときに、当該搬送波の現シンボルの復調データをヌルとする手段と；ある搬送波の現シンボルの離散フーリエ変換出力の振幅が前記第１の閾値より大きな前記予め与えられた関係の第２の閾値より大きいときに、当該搬送波の現シンボルの復調データをヌルとする手段とを具えたことを特徴とするものである。
【００２０】
【発明の実施の形態】
本発明によれば、ＯＦＤＭ受信装置において離散フーリエ変換によって得られる搬送波ごとの出力データの振幅と、予め与えられた２つの閾値とがそれぞれ比較され、第１の閾値より小さい振幅の搬送波または第１の閾値より大きな第２の閾値に比し大きな振幅の搬送波の復調データを消失化してヌルデータとするような、ＯＦＤＭ復調データのパンクチャード化(punctured) をおこない、そのデータをビタビ復号器などで軟判定復号することができるので、大きな誤り訂正効果を得るＯＦＤＭ受信装置を提供することができる。
【００２１】
【実施例】
以下添付図面を参照し実施例により本発明の実施の形態を説明する。
本発明によるＯＦＤＭ受信装置の実施の形態の例を図４と図５を用いて説明する。図４のＯＦＤＭ受信装置において、受信信号を入力した離散フーリエ変換部４１は、搬送波＃１，--- ，＃ｋ，--- ごとにデータを出力する。搬送波＃１については、特定の時刻に挿入された参照データを参照データ抽出（推定）部４２で抽出または推定し、この参照データにより復調データ等化部４３でデータを等化し、ユークリッド距離算出部４４で送信信号点からのユークリッド距離を算出する。このとき、閾値比較部４６で参照データの振幅と予め与えられた第１の閾値との比較をおこない、参照データの振幅が小さい場合、または、第１の閾値より大きな第２の閾値と比較して参照データの振幅が大きい場合、データの消失化部４７でデータにヌルデータを挿入し出力する。搬送波＃２，＃３，--- ，＃ｋ，--- においても、搬送波＃１と同様な処理をおこない、すべての搬送波からの復調データはＰ／Ｓ変換部４５に入力され、パラレルシリアル変換され、復調軟判定データとして出力される。
【００２２】
また図５の差動変調ＯＦＤＭ受信装置においては、受信信号を入力した離散フーリエ変換部５１は、搬送波ごとにデータを出力する。搬送波＃１については、現シンボルのデータは差動復調部５３で１シンボル遅延部５２から出力される前シンボルのデータにより差動復調され、ユークリッド距離算出部５４で送信信号点からのユークリッド距離を算出する。このとき、閾値比較部５６で前シンボルデータの振幅と与えられた第１の閾値との比較をおこない、前シンボルデータの振幅が小さい場合、または第１の閾値より大きな第２の閾値との比較をおこない、前シンボルデータの振幅が大きい場合、データの消失化部５７でデータにヌルデータを挿入し出力する。搬送波＃２，＃３，--- ，＃ｋ，--- においても、搬送波＃１と同様な処理をおこない、すべての搬送波からの復調データはＰ／Ｓ変換部５５に入力され、パラレルシリアル変換され、復調軟判定データとして出力される。
【００２３】
以上述べてきた２つの実施例は本願発明を限定するものではない。先の特許請求の範囲に規定されている１４の請求項は、閾値比較部において比較のための閾値と被比較値にいかなる値を採用するかによって１４通りの組み合わせがあることに基づくものである。
【００２４】
すなわちこの場合、比較のための閾値としては２種類あり、１つは予め与えられた閾値であり、もう１つはすべての搬送波データの振幅の平均値あるいは実効値と予め与えられた関係で関係づけられた閾値である。これに対する被比較値には７種類ある。まずＯＦＤＭ信号に３種類あり、１つは通常のＯＦＤＭ信号、次に差動位相変調されたＯＦＤＭ信号、最后に差動振幅変調されたＯＦＤＭ信号である。そして後２者についてはそれぞれさらに３種類あり、１つは前シンボルの変換出力の振幅値であり、次に現シンボルの変換出力の振幅値であり、３番目に前シンボルの変換出力の振幅値と現シンボルの変換出力の振幅値との積である。
【００２５】
先に述べた２つの実施例は上述の１４種類の組み合わせのうち３つの実施例構成ブロック線図（差動位相変調と差動振幅変調とは差動復調でまとめられている）を説明したにすぎないし、他の実施例はこの２つの実施例と同様な構成で説明されることに注目されたい。
【００２６】
【発明の効果】
本発明ＯＦＤＭ受信装置によれば、マルチパス伝送路のように信号帯域内の振幅周波数特性が異なる伝送路を通過したＯＦＤＭ信号でも、またＦＭ信号、ＣＷ信号、テレビジョン信号などの狭帯域信号から干渉を受けたＯＦＤＭ信号でも、従来のように復調し、軟判定復号したときの誤り訂正効果よりも訂正効果の大きいＯＦＤＭ受信装置を提供できる効果がある。
【図面の簡単な説明】
【図１】従来のＯＦＤＭ受信装置の構成ブロック線図である。
【図２】従来の差動復調ＯＦＤＭ受信装置の構成ブロック線図である。
【図３】マルチパス伝送路を通過したＯＦＤＭ信号の周波数振幅特性の例である。
【図４】本発明によるＯＦＤＭ受信装置の第１の実施例構成ブロック線図である。
【図５】本発明によるＯＦＤＭ受信装置の第２の実施例構成ブロック線図である。
【符号の説明】
１１，２１，４１，５１  離散フーリエ変換部
１２，４２  参照データ抽出（推定）部
１３，４３  復調データ等化部
１４，２４，４４，５４  ユークリッド距離算出部
１５，２５，４５，５５  Ｐ／Ｓ変換部
２２，５２  １シンボル遅延部
２３  現シンボルデータの差動復調部
５３  差動復調部
４６，５６  閾値比較部
４７，５７  データの消失化部（ヌル挿入）
【図１】
0003782233.tif 000002
【図２】
0003782233.tif 000003
【図３】
0003782233.tif 000004
【図４】
0003782233.tif 000005
【図５】
0003782233.tif 000006